(57)【要約】  テーパ部を起点とするコアシャフトの破断を防止しながら、上記コアシャフトが枝管へ迷入するのを抑制することが可能なガイドワイヤを提供する。  本発明のガイドワイヤ１０は、先端部Ｐ１が縮径しているコアシャフト１００と、先端部Ｐ１を覆うように巻回されたコイル体２００と、コアシャフト１００とコイル体２００とが互いに固着した先端固着部４０１とを備えているガイドワイヤであって、先端部Ｐ１が、小径部１１０、大径部１２０、テーパ部１３０を有し、コアシャフト１００とコイル体２００が、テーパ部１３０を除く部位で固着しており、大径部１２０の曲げ剛性ＦＲ１、小径部１１０の曲げ剛性ＦＲ２、およびテーパ部１３０の長さＬが、下記式（１）、（２）を満たしている。下記式（１）、（２）中、Ｌの単位はｍｍである。ＦＲ１／ＦＲ２≧１０    ・・・（１）１≦Ｌ≦３              ・・・（２）
2019073570.tif 000002
【特許請求の範囲】
【請求項１】
先端部が先端方向に向かって段階的に縮径しているコアシャフトと、
前記縮径した先端部の外周の少なくとも一部を覆うように巻回されたコイル体と、
前記コアシャフトの先端と前記コイル体の先端とが互いに固着した先端固着部と、を備えているガイドワイヤであって、
前記コアシャフトの先端部が、前記先端固着部に連続する小径部と、この小径部よりも後端方向に位置し前記小径部よりも大きな外径を有する大径部と、前記小径部と前記大径部とに連続し前記小径部から前記大径部に向かって漸次拡径するテーパ部とを有し、
前記コアシャフトと前記コイル体とが、前記テーパ部を除く前記コアシャフトの部位で固着しており、
前記大径部の曲げ剛性ＦＲ１、前記小径部の曲げ剛性ＦＲ２、および前記コアシャフトの軸方向における前記テーパ部の長さＬが、下記式（１）および（２）を満たしていることを特徴とするガイドワイヤ。
ＦＲ１／ＦＲ２≧１０      ・・・（１）
１≦Ｌ≦３                ・・・（２）
（前記式（１）および（２）中、Ｌの単位はｍｍである。）
【請求項２】
前記コアシャフトを覆うように、前記コイル体の内側に配置された多条の内側コイル体を備え、
前記コアシャフトと前記内側コイル体とが、前記テーパ部を除く部位であって前記テーパ部よりも後端方向の前記コアシャフト上の部位、および前記先端固着部で固着されている請求項１に記載のガイドワイヤ。
【発明の詳細な説明】
【技術分野】
【０００１】
本発明は、ガイドワイヤに関する。
【背景技術】
【０００２】
例えば、石灰化の進行により生じた血管内の閉塞部位（例えば、慢性完全閉塞：ＣＴＯ）などを治療する際、バルーンカテーテル等の治療器具に先行してこれらを案内するためのガイドワイヤが挿入される。【０００３】
このような血管などに挿入するガイドワイヤとしては、上記管内の形状に応じて先端が柔軟に湾曲できるように、軸となるコアシャフトの先端部を段階的に縮径したものが提案されている（例えば、特許文献１参照）。【０００４】
この技術によれば、先端部を段階的に縮径することで一つ以上の変曲点が設けられており、この変曲点の遠位側が湾曲することで多様な形状の血管に沿って前進する。
【先行技術文献】
【特許文献】
【０００５】
【特許文献１】国際公開第２０１５／０８０９４８号
【発明の概要】
【発明が解決しようとする課題】
【０００６】
しかしながら、分岐する血管などにガイドワイヤを挿入する際、枝管の入口部に引っ掛かったガイドワイヤが、進むべき本管を外れて上記枝管深くに迷入してしまうことがある。このような迷入は、予期せぬ合併症を引き起こし、迷入したガイドワイヤを引き戻すのに時間が掛かって手技の遅延を招く虞もある。【０００７】
本発明は、以上のような事情に基づいてなされたものであり、その目的は、テーパ部を起点とするコアシャフトの破断を防止しながら、上記コアシャフトが枝管へ迷入するのを抑制することが可能なガイドワイヤを提供することにある。
【課題を解決するための手段】
【０００８】
本発明は、
（１）先端部が先端方向に向かって段階的に縮径しているコアシャフトと、
前記縮径した先端部の外周の少なくとも一部を覆うように巻回されたコイル体と、
前記コアシャフトの先端と前記コイル体の先端とが互いに固着した先端固着部と、を備えているガイドワイヤであって、
前記コアシャフトの先端部が、前記先端固着部に連続する小径部と、この小径部よりも後端方向に位置し前記小径部よりも大きな外径を有する大径部と、前記小径部と前記大径部とに連続し前記小径部から前記大径部に向かって漸次拡径するテーパ部とを有し、
前記コアシャフトと前記コイル体とが、前記テーパ部を除く前記コアシャフトの部位で固着しており、
前記大径部の曲げ剛性ＦＲ１、前記小径部の曲げ剛性ＦＲ２、および前記コアシャフトの軸方向における前記テーパ部の長さＬが、下記式（１）および（２）を満たしていることを特徴とするガイドワイヤ、
ＦＲ１／ＦＲ２≧１０      ・・・（１）
１≦Ｌ≦３                ・・・（２）
（前記式（１）および（２）中、Ｌの単位はｍｍである。）
（２）前記コアシャフトを覆うように、前記コイル体の内側に配置された多条の内側コイル体を備え、
前記コアシャフトと前記内側コイル体とが、前記テーパ部を除く部位であって前記テーパ部よりも後端方向の前記コアシャフト上の部位、および前記先端固着部で固着されている前記（１）に記載のガイドワイヤ
に関する。【０００９】
なお、本明細書において、「先端方向」とは、ガイドワイヤの軸方向に沿う方向であって、コアシャフトの大径部に対して先端固着部が位置する方向を意味する。また、「後端方向」とは、ガイドワイヤの軸方向に沿う方向であって、先端方向と反対側の方向を意味する。
【発明の効果】
【００１０】
本発明は、テーパ部を起点とするコアシャフトの破断を防止しながら、上記コアシャフトが枝管へ迷入するのを抑制することが可能なガイドワイヤを提供することができる。
【図面の簡単な説明】
【００１１】
【図１】本発明の第１の実施形態を示す概略断面図である。
【図２】本発明の第２の実施形態を示す概略断面図である。
【図３Ａ】前進するガイドワイヤの状態を示す概略図であって、ガイドワイヤの先端が枝管の開口に到達する前の状態を示す概略図である。
【図３Ｂ】前進するガイドワイヤの状態を示す概略図であって、枝管迷入防止性が良好なガイドワイヤを示す概略図である。
【図３Ｃ】前進するガイドワイヤの状態を示す概略図であって、枝管迷入防止性が不良のガイドワイヤを示す概略図である。
【図４】表１および表２の評価結果をプロットしたグラフである。
【発明を実施するための形態】
【００１２】
本発明のガイドワイヤは、先端部が先端方向に向かって段階的に縮径しているコアシャフトと、上記縮径した先端部の外周の少なくとも一部を覆うように巻回されたコイル体と、上記コアシャフトの先端と上記コイル体の先端とが互いに固着した先端固着部と、を備えているガイドワイヤであって、上記コアシャフトの先端部が、上記先端固着部に連続する小径部と、この小径部よりも後端方向に位置し上記小径部よりも大きな外径を有する大径部と、上記小径部と上記大径部とに連続し上記小径部から上記大径部に向かって漸次拡径するテーパ部とを有し、上記コアシャフトと上記コイル体とが、上記テーパ部を除く上記コアシャフトの部位で固着しており、上記大径部の曲げ剛性ＦＲ１、上記小径部の曲げ剛性ＦＲ２、および上記コアシャフトの軸方向における上記テーパ部の長さＬが、下記式（１）および（２）を満たしていることを特徴とする。
ＦＲ１／ＦＲ２≧１０      ・・・（１）
１≦Ｌ≦３                ・・・（２）
（前記式（１）および（２）中、Ｌの単位はｍｍである。）
【００１３】
なお、本明細書において、「本管」とはガイドワイヤの先端部が進行する方向と同じ方向に延びた管を意味し、「枝管」とは上記本管に臨む開口を有しかつガイドワイヤの先端部が進行する方向に対して斜めに延びた管を意味する。
【００１４】
以下、本発明の第１および第２の実施形態について図面を参照して説明するが、本発明は、当該図面に記載の実施形態にのみ限定されるものではない。
【００１５】
［第１の実施形態］
図１は、本発明の第１の実施形態を示す概略正面図である。当該ガイドワイヤ１０、図１に示すように、概略的に、コアシャフト１００と、コイル体２００と、先端固着部４０１とにより構成されている。
【００１６】
コアシャフト１００は、先端部Ｐ１が先端方向に向かって段階的に縮径しており、このコアシャフト１００の先端部Ｐ１は、後述する先端固着部４０１に連続する小径部１１０と、この小径部１１０よりも後端方向に位置し小径部１１０よりも大きな外径を有する大径部１２０と、小径部１１０と大径部１２０とに連続し小径部１１０から大径部１２０に向かって漸次拡径するテーパ部１３０とを有している。本実施形態では、コアシャフト１００が一直線状に延びた状態で、小径部１１０および大径部１２０はそれぞれコアシャフト１００の軸方向に直交する断面形状（横断面の形状）が軸方向において直径一定の円形であり、テーパ部１３０は円錐台状である。また、コアシャフト１００は、先端が大径部１２０の後端に連続する円錐台状の接続部１４０と、先端が接続部１４０の後端に連続するコアシャフト本体１５０とを有している。
【００１７】
コアシャフト１００の全長は、通常１，８００〜３，０００ｍｍであり、１，９００〜２，５００が好ましい。コアシャフト１００の先端部Ｐ１の軸方向の長さは、通常５０〜１，０００ｍｍであり、３００〜８５０ｍｍが好ましい。コアシャフト本体１５０の外径は、通常０．２５〜０．５ｍｍであり、大径部１２０の外径は、通常コアシャフト本体１５０の１／５〜２／５である。なお、小径部１１０の外径は以下に示すように選択される。
【００１８】
ここで、大径部１２０および小径部１１０の外径は、大径部１２０の曲げ剛性ＦＲ１、小径部１１０の曲げ剛性ＦＲ２、およびコアシャフトの軸方向におけるテーパ部１３０の長さＬが、下記式（１）および（２）を満たすように選択される。なお、下記式（１）および（２）中、Ｌの単位はｍｍである。
ＦＲ１／ＦＲ２≧１０      ・・・（１）
１≦Ｌ≦３                ・・・（２）
【００１９】
ここで、上記式（１）における大径部１２０および小径部１１０の曲げ剛性の比（ＦＲ１／ＦＲ２）は、コアシャフト１００が均質に形成されている場合、例えば、フックの法則を用いて外径の４乗の比として算出することができる。
【００２０】
本実施形態では、全長が１，９００ｍｍ、先端部Ｐ１の軸方向の長さが１００ｍｍ（小径部１１０の軸方向の長さが１０ｍｍ、テーパ部１３０の軸方向の長さが１ｍｍ、大径部１２０の軸方向の長さが６０ｍｍ）、コアシャフト本体１５０の外径が０．３５ｍｍ、大径部１２０の外径が０．１０ｍｍ、小径部１１０の外径が０．０４ｍｍのものが例示されている。
【００２１】
コアシャフト１００を構成する材料としては、小径部１１０の柔軟性を確保すると共に、抗血栓性および生体適合性を有している限り特に限定されず、例えば、ＳＵＳ３０４などのステンレス鋼、Ｎｉ−Ｔｉ合金などの超弾性合金等を採用することができる。
【００２２】
コイル体２００は、縮径した先端部Ｐ１の外周の少なくとも一部を覆うように巻回されているものであり、例えば、１本の単線を用いて隣り合う線材同士が接するように螺旋状に巻回された単条のコイルで構成されている。
【００２３】
また、このコイル体２００と上述したコアシャフト１００とは、テーパ部１３０を除くコアシャフト１００の部位で固着されている限り特に限定されないが、先端部Ｐ１の湾曲性を向上させる観点から、小径部１１０およびテーパ部１３０を除くコアシャフト１００の部位で固着されていることが好ましく、小径部１１０、大径部１２０およびテーパ部１３０を除くコアシャフト１００の部位で固着されていることがより好ましい。具体的には、図１に示すように、コイル体２００とコアシャフト１００とは、例えば、コイル体２００の先端とコアシャフト１００の先端（先端固着部４０１参照）、およびコイル体２００の後端とコアシャフト１００の接続部１４０（蝋付け部２１０参照）の２箇所で蝋付けされている。
【００２４】
なお、コイル体２００の蝋付けに用いるロウ材としては、例えば、Ｓｎ−Ｐｂ合金、Ｐｂ−Ａｇ合金、Ｓｎ−Ａｇ合金、Ａｕ−Ｓｎ合金などの金属ロウ等が挙げられる。
【００２５】
コイル体２００を構成する線材の直径は、通常０．０１〜０．１０ｍｍであり、０．０１〜０．０８ｍｍが好ましい。本実施形態では、０．０６ｍｍの直径を有するコイル体２００が例示されている。
【００２６】
コイル体２００を構成する線材の材料としては、小径部１１０の柔軟性を確保すると共に、抗血栓性および生体適合性を有している限り特に限定されず、例えば、ＳＵＳ３１６などのステンレス鋼；Ｎｉ−Ｔｉ合金などの超弾性合金；白金、タングステンなどの放射線不透過性の金属等を採用することができる。
【００２７】
先端固着部４０１は、コアシャフト１００の先端とコイル体２００の先端とが互いに固着している部位である。具体的には、この先端固着部４０１は、例えば、上述したようにコアシャフト１００の先端とコイル体２００の先端とが蝋付けされている共に、ガイドワイヤ１０が血管内を進行する際に血管の内壁に損傷を与えないように、上記ロウ材により先端方向が滑らかに湾曲した半球形状となるように成形されている。
【００２８】
次に、当該ガイドワイヤ１０の使用態様について説明する。まず、ガイドワイヤ１０を先端部Ｐ１から血管に挿入し、この血管に沿って前進させる。次いで、ガイドワイヤ１０の先端を血管の分岐部まで挿入した後、手技により本管に沿ってガイドワイヤ１０を押し進める。この際、ガイドワイヤ１０の先端が枝管に入口部に引っ掛かったとしても、ガイドワイヤ１０が枝管深くに入り込まずかつコアシャフト１００が破断することなく本管内を前進する。次いで、ガイドワイヤ１０が治療部位に到達した後、ガイドワイヤ１０に沿ってバルーンカテーテルやステントなどの治療器具を搬送させ、上記治療部位にて各種処置を実行する。上記処置が完了した後、ガイドワイヤ１０は、上記血管を逆行させて身体から引き抜かれ、一連の手技が終了する。
【００２９】
以上のように、当該ガイドワイヤ１０は、上記構成であるので、テーパ部１３０を起点とするコアシャフト１００の破断を防止しながら、上記コアシャフト１００が枝管へ迷入するのを抑制することができる。その結果、円滑なガイドワイヤ１０の操作により手技を迅速かつ確実に行うことができる。これは、コアシャフト１００とコイル体２００とがテーパ部１３０にて固着されていないことによる湾曲時のテーパ部１３０への応力集中抑制と、小径部１１０と大径部１２０との適正な曲げ剛性比（式（１）および（２）参照）による先端部Ｐ１の湾曲制御性とが相俟って生じた結果であると推察される。
【００３０】
このように、当該ガイドワイヤ１０は、上記効果を有するので、例えば、血管内の治療に用いる医療用のガイドワイヤとして好適に使用することができる。
【００３１】
［第２の実施形態］
図２は、本発明の第２の実施形態を示す概略正面図である。当該ガイドワイヤ２０は、図２に示すように、概略的に、コアシャフト１００と、コイル体２００と、内側コイル体３００と、先端固着部４０２とにより構成されている。このガイドワイヤ２０は、内側コイル体３００および先端固着部４０２を備えている点で第１の実施形態と異なっている。なお、コアシャフト１００、コイル体２００、およびその他の構成は、上述した第１の実施形態の構成と同様であるので、同一部分には同一符号を付してその詳細な説明は省略する。
【００３２】
内側コイル体３００は、コアシャフト１００を覆うように、コイル体２００の内側に配置された多条のコイル体であり、例えば、中空撚線（複数の線材を予め互いに撚り合った一束の線）を用いて隣り合う線材同士が接するように巻回された多条のコイルで構成されていると共に、内周が大径部１２０の外周に近接するように配置されている。
【００３３】
また、この内側コイル体３００とコアシャフト１００とは、テーパ部１３０を除く部位であってテーパ部１３０よりも後端方向のコアシャフト１００上の部位、および先端固着部４０２で固着されている限り特に限定されないが、大径部１２０よりも後端方向のコアシャフト１００上の部位、および先端固着部４０２で固着されていることが好ましい。具体的には、図２に示すように、内側コイル体３００とコアシャフト１００とは、例えば、内側コイル体３００の先端と、コアシャフト１００およびコイル体２００の先端（先端固着部４０２参照）、並びに内側コイル体３００の後端とコアシャフト１００の接続部１４０（蝋付け部３１０参照）の２箇所で蝋付けされている。
【００３４】
なお、内側コイル体３００の蝋付けに用いるロウ材としては、例えば、第１の実施形態においてコイル体２００の蝋付けに用いるロウ材として示したものと同様のロウ材等を採用することができる。
【００３５】
内側コイル体３００を構成する線材の直径は、通常０．０１〜０．０５ｍｍであり、０．０１〜０．０４ｍｍが好ましい。本実施形態では、０．０３０ｍｍの直径を有する内側コイル体３００が例示されている。
【００３６】
内側コイル体３００を構成する線材の材料としては、例えば、第１の実施形態にて上述したコイル体２００の線材の材料と同様の材料等を用いることができる。
【００３７】
先端固着部４０２は、コアシャフト１００の先端とコイル体２００の先端と内側コイル体３００とが互いに固着している部位である。具体的には、この先端固着部４０２は、例えば、上述したようにコアシャフト１００の先端とコイル体２００の先端と内側コイル体３００の先端とが蝋付けされ、ロウ材により先端方向が滑らかに湾曲した半球形状となるように成形されている。
【００３８】
なお、当該ガイドワイヤ２０の使用態様は、上述した第１の実施形態のものと同様であるので、第１の実施形態の説明を援用する。
【００３９】
このように、当該ガイドワイヤ２０は、コアシャフト１００と内側コイル体３００とが、テーパ部１３０を除く部位であってテーパ部１３０よりも後端方向のコアシャフト１００上の部位、および先端固着部４０２で固着されていることで、たとえコアシャフト１００が小径部１１０やテーパ部１３０で破断したとしても、破断した部位とガイドワイヤ２０の他の部位とが内側コイル体３００を介して繋がっているので、これらの部位が分裂するのを防止することができ、より安全に手技を行うことができる。
【００４０】
なお、本発明は、上述した実施形態の構成に限定されるものではなく、特許請求の範囲によって示され、特許請求の範囲と均等の意味および範囲内での全ての変更が含まれることが意図される。
【００４１】
例えば、上述した実施形態では、コイル体２００および内側コイル体３００それぞれの剛性が均一なガイドワイヤ１０、２０について説明したが、コイル体および／または内側コイル体が、コアシャフトの軸方向においてテーパ部の後端方向の曲げ剛性が先端方向の曲げ剛性よりも高いガイドワイヤであってもよい。これにより、ガイドワイヤ全体としてテーパ部を境に剛性をより大きく変化させることができ、枝管迷入防止性を高めることができる。上述のようなコイル体および内側コイル体としては、例えば、構成する素線の素線径をテーパ部の前後で異ならせるもの、構成する素線のうちのテーパ部を起点として後端方向の部位の巻線同士を溶接や半田付けなどにより一体化するもの等が挙げられる。
【００４２】
また、上述した実施形態では、小径部の横断面が円形であるガイドワイヤ１０、２０について説明したが、血管選択性の向上を目的として、小径部のうちの先端方向の部位の横断面の形状を略扁平形状または略平板形状としてもよい。
【００４３】
また、上述した実施形態では、フックの法則により曲げ剛性ＦＲ１およびＦＲ２を算出するガイドワイヤ１０、２０について示したが、実測により各曲げ剛性ＦＲ１、ＦＲ２を算出するものや、上記以外の手法を用いて各曲げ剛性を算出するものであってもよい。
【００４４】
また、上述した第１の実施形態ではコアシャフト１００とコイル体２００とが、第２の実施形態ではコアシャフト１００とコイル体２００と内側コイル体３００とが、それぞれ蝋付けされているガイドワイヤ１０、２０について説明したが、上記部材同士がアーク溶接や抵抗溶接などの他の公知技術を用いて固着されているガイドワイヤであってもよい。
【００４５】
また、上述した第１の実施形態ではコアシャフト１００とコイル体２００とが先端固着部４０１および蝋付け部２１０にて、第２の実施形態ではコアシャフト１００と内側コイル体３００とが先端固着部４０２および蝋付け部３１０にて固着しているガイドワイヤ１０、２０について説明したが、上記部材同士は、テーパ部を除く部位であればいずれの一または二以上の部位で固着しているガイドワイヤであってもよい。
【００４６】
また、上述した実施形態では、コイル体２００が単条コイル、内側コイル体３００が多条コイルを用いて形成されているガイドワイヤ１０、２０について例示したが、コイル体は多条コイルであってもよく、内側コイル体は単条コイルであってもよい。
【００４７】
また、上述した実施形態では、コアシャフト１００の大径部１２０とコアシャフト本体１５０との間に接続部１４０を備えているガイドワイヤ１０、２０について例示したが、大径部がコアシャフト本体の一部であるガイドワイヤ（大径部とコアシャフト本体とが同一径かつ互いに連続しているガイドワイヤ）であってもよい。
【実施例】
【００４８】
以下、本発明を実施例に基づいて具体的に説明するが、本発明は、これらの実施例に限定されるものではない。なお、この実施例では、第１の実施形態で上述したような、コアシャフト、コイル体および先端固着部を備えているガイドワイヤについての結果を示す。【００４９】
＜ガイドワイヤ＞
評価に供する各ガイドワイヤの仕様について、小径部の外径Ｄ１、および大径部の外径Ｄ２、並びに（ＦＲ１／ＦＲ２）の値を表１、２に示す。なお、上記ＦＲ１およびＦＲ２は、上記式（１）と同義である。また、その他の仕様は以下の通りである。【００５０】
［コアシャフト］
・材質              ：ＳＵＳ３０４
・軸方向の長さ
全長          ：１，９００ｍｍ
先端部      ：１００ｍｍ
小径部      ：１０ｍｍ
テーパ部   ：表１、２に記載
大径部      ：６０ｍｍ
・直径
コアシャフト本体：０．３５ｍｍ
小径部      ：表１、２に記載
大径部      ：表１、２に記載
［コイル体］
・材質              ：ＳＵＳ３０４
・直径              ：０．０６ｍｍ【００５１】
＜評価＞
表１、２に示した各ガイドワイヤを用い、枝管迷入防止性を下記方法に従い評価した。その結果を表１、２および図４に示す。なお、表１、２中、曲げ剛性比（ＦＲ１／ＦＲ２）は、フックの法則により得られた曲げ剛性を用いて算出されている。【００５２】
［枝管迷入防止性］
小径部の中間を起点（折曲部）としてＵ字状に湾曲させたガイドワイヤと、直線状の本管とこの本管の中途に開口を有し上記本管に対して７５度の角度で斜めに形成された枝管とを有する中空の透明なアクリル板とを事前に準備した。
次いで、これらのガイドワイヤおよびアクリル板を用い、各ガイドワイヤを上記アクリル板の本管内に挿入し（例えば、図３Ａ参照）、上記ガイドワイヤの先端を枝管の開口に引っ掛けてから更に押し込み、ガイドワイヤが上記開口から枝管深くに進入するか否かを目視にて観察した。
このとき、ガイドワイヤが枝管深くに前進せずかつ本管に沿って前進する場合（例えば、図３Ｂ参照）、枝管迷入防止性は良好「Ａ」、ガイドワイヤが上記開口から枝管深くに進入する場合（例えば、図３Ｃ参照）、枝管迷入防止性は不良「Ｂ」と評価した。【００５３】
【表１】
2019073570.tif 000003
【００５４】
【表２】
2019073570.tif 000004
【００５５】
表１、２および図４の結果から分かるように、実施例については枝管迷入防止性が全て良好「Ａ」であったのに対し、比較例についてはいずれも不良「Ｂ」であった。すなわち、曲げ剛性比（ＦＲ１／ＦＲ２）＝１０を境として、枝管迷入防止性の良否が分かれている。
【符号の説明】
【００５６】
１０、２０  ガイドワイヤ
１００  コアシャフト
１１０  小径部
１２０  大径部
１３０  テーパ部
２００  コイル体
３００  内側コイル体
４０１、４０２  先端固着部
Ｐ１、Ｐ２  先端部
【図１】
2019073570.tif 000005
【図２】
2019073570.tif 000006
【図３Ａ】
2019073570.tif 000007
【図３Ｂ】
2019073570.tif 000008
【図３Ｃ】
2019073570.tif 000009
【図４】
2019073570.tif 000010
【国際調査報告】
2019073570.tif 000011
2019073570.tif 000012
2019073570.tif 000013